(57)【特許請求の範囲】
【請求項１】
被洗浄物７が収容された洗浄籠６を吊下げて振動させる洗浄機において、回転駆動される駆動軸１の両端に当該駆動軸１と軸心を異にする一対の偏芯軸２、３を偏芯量が互いに異なるように突設し、この一対の偏芯軸２、３を介して異なる２箇所より洗浄籠６を吊下げて成ることを特徴とする振動洗浄機。
【請求項２】
被洗浄物７が収容された洗浄籠６を吊下げて振動させる洗浄機において、回転駆動される駆動軸１の両端に当該駆動軸１と軸心を異にする一対の偏芯軸２、３を偏芯量が互いに異なると共に位相も互いに異なるように突設し、この一対の偏芯軸２、３を介して異なる２箇所より洗浄籠６を吊下げて成ることを特徴とする振動洗浄機。
【発明の詳細な説明】
【０００１】
【発明が属する技術分野】
本発明は、例えばボルトやナット等の金属切削加工物の微細な切り屑を振動にて除去する洗浄機であって、従来では除去が困難であった微細な切り屑を短時間で効率良く確実に分離除去できる振動洗浄機に関する。
【０００２】
【従来の技術】
例えばボルトやナットのような金属加工物の切削加工を行った場合、微細な切り屑が金属加工物の表面に付着する。これをガソリンなどの溶媒中に浸漬させて表面洗浄を行う際に、振動により微細な切り屑も除去しようとしているが、スムーズに除去できるものがなく、加工者は手作業による煩わしい作業が強いられている。特にナットの場合、雌ネジ部が凹んでいるのでその煩わしさは一際であった。
【０００３】
【発明が解決しようとする課題】
本発明が解決しようとする問題点は、金属加工物に付着した切り屑を短時間で効率良く除去できる振動洗浄機を提供しようとするものである。
【０００４】
【課題を解決するための手段】
本発明は、駆動軸１の適所に一対の偏芯軸２、３が連携され、この一対の偏芯軸２、３に円盤状の揺動部材４、５が回動自在に軸支されるもので、一対の偏芯軸２、３の偏芯量を異にすることにより、揺動部材４、５に吊下げられる洗浄籠６に単なる上下振動のみならず、水平面方向の往復回動を発生させることによりその動きに捻りを加え、しかも振動が殆ど生じない静止点が生ずることを防止することにより迅速に均一に洗浄できるようにすることを第一の特徴とする。
【０００５】
【発明の実施の形態】
本発明は、駆動軸１は電動モータやエンジン等の通常の回転手段Ｍにより駆動されるもので、駆動軸１は軸受け９で軸支され、１０は回転手段Ｍの回転を駆動軸１に伝達するベルト、１１はベルト１０を懸架するプーリである。回転手段Ｍは回転制御が容易なインバータモータが好ましい。
【０００６】
駆動軸１の適所には一対の偏芯軸２、３が連携される。図示例では軸受け９、９の外側に突出した駆動軸１の両端部に補助ロータ１２、１３を装着固定し、この補助ロータ１２、１３より一対の偏芯軸２、３が突設される。この偏芯軸２、３は駆動軸１より偏芯し、かつ平行となっていて、この偏芯軸２、３に円盤状の揺動部材４、５が回動自在に軸支される。
【０００７】
また、偏芯軸２、３の偏芯量は互いに異にする。そして好ましくは更に位相も異にするのが良い。また偏芯軸２、３の偏芯量の一方を０にすることもできる。偏芯軸２、３の位相差は例えば１８０度とすることが出来る。しかしこれは限定されるものではなく、３０度、６０度、９０度等、被洗浄物の大きさや量に応じて調整することが出来る。
【０００８】
一対の揺動部材は４、５には洗浄籠６が吊下げられる。１５は両端にフックが施された吊下げロッドで、上端は揺動部材４、５に施されたリング１６に引っ掛けられ、下端は洗浄籠６上縁の係止孔に引っ掛けられる。リング１６は図９のように揺動部材４、５にネジ８にて螺着される。ネジ８に対してリング１６自体を回動自在とすることにより、リング１６は揺動部材４、５に対して回動自在にしておくのが好ましい。また１本の吊下げロッド１５を１つのリング１６に引っ掛けるようにしても良いし、前後２本の吊下げロッド１５、１５を１つのリング１６に併せて吊下げても良い。１７は基台で、回転手段Ｍ、軸受け９等が取り付けられ、透孔１８を介して懸架された吊下げロッド１５に洗浄籠６が吊下げられる。この洗浄籠６は内部に被洗浄物７が収容された状態で洗浄ガソリンなどが収容された洗浄液タンクに浸漬される。
【０００９】
今、偏芯軸２、３の偏芯量の位相差が１８０度の場合を例にとってその作用を説明する。右から左を見て時計の０分を０度とすると、図１（a）（b）で揺動部材４、５はそれぞれ０度、１８０度に位置している（第１状態）。
次に回転を始めると、揺動部材４、５は図２（a）（b）のようにそれぞれ９０度、２７０度になり（第２状態）、更に図３（a）（b）のようにそれぞれ１８０度、３６０度（０度）（第３状態）、そしてそれぞれ図４（a）（b）のように２７０度、９０度（第４状態）を経てそれぞれ０度、１８０度（第１状態）に戻るもので、これを繰り返す。
【００１０】
この動きに対応してそれぞれの洗浄籠６の動きを示すと次の通りとなる。図５（a）（b）のように第１状態では前方から見て右上がり、右から見て手前上がりである。第２状態では図６（a）（b）のように前方から見て水平、右から見て奥が左に偏る。第３状態では図７（a）（b）のように前方から見て左上がり、右から見て奥上がりである。第４状態では図８（a）（b）のように前方から見て水平、右から見て奥が右に偏るり、また第１状態に戻る。これを繰り返して洗浄籠６を揺動させて内容物を洗浄するのである。洗浄籠６は必要に応じて洗浄用ガソリンなどの適宜溶媒に浸漬して行われる。
【００１１】
上記の揺動により、洗浄籠６は左右から位相差がある状態で前後から見ても左右から見ても垂直面内で円運動を行い、その位相差に基づき、またこの時揺動部材４、５はいずれも回動自在なため振り子振動を行うことと相俟って、水平面内でも往復振動が加わって、あらゆる方向からの振動が加味された揺動が得られる。
これにより被洗浄物７より分離された切削屑は洗浄液タンクの底に沈殿して除去される。
【００１２】
【他の実施例】
図１０は一方の偏芯軸３の偏芯量を０にした例で、揺動部材５は駆動軸１と同軸である。この場合は揺動部材４は上記と同様の動きをするが、この揺動部材５は前後の往復微振動を行い、左右での動きに差を生じさせて、上記の実施例とは異なる揺動が得られる。
【００１３】
【発明の効果】
本発明は、駆動軸１の適所に一対の偏芯軸２、３が連携され、この一対の偏芯軸２、３に円盤状の揺動部材４、５が回動自在に軸支されるもので、偏芯軸２、３の偏芯量を異にすることにより、揺動部材４、５に吊下げられる洗浄籠６に単なる上下振動のみならず、水平面方向の往復回動を発生させることによりその動きに捻りを加えることができるものであって、従来の単純な上下振動、左右振動だけでは得ることのできない複雑な揺動を生じさせることができる。そのため、洗浄籠６内の被洗浄物７は従来のようの略同一垂直面内の位置で単純な振動するのではなく、前後左右上下、更には回転が複雑に交じり合って洗浄籠６の中で振動しながら移動すると共に被洗浄物７自体も水平或いは垂直、斜めに回動するものであって、従来ではどうしても分離できなかったナットの雌ネジに付着した微細な切削屑まで、短時間で確実に分離させ効率の良い洗浄を行うことができる利点がある。しかもその際、一対の偏芯軸２、３の偏芯量に差があることにより、揺動時に被洗浄物が静止状態になる部位がない。これは一対の偏芯軸の偏芯量に差がないか、回転方向を逆にした場合でも免れない欠点であり、振動が速くなるほど生じやすいが、本発明の場合では被洗浄物は振動がゆっくりでも速くても静止点が生じることがなく、迅速に効率の良い洗浄が行える。
【００１４】
また、揺動部材４、５の異なる２箇所より洗浄籠６を吊下げておくと、吊下げロッドの自由度が大きくなり、大きな揺動が得られる。
【００１５】
更に偏芯軸２、３の位相差を大略１８０度としておくと、左右の動きのずれが最大になり、揺動が最大となる。
【００１６】
駆動軸１の他端に駆動軸１と同軸の揺動部材５を装着して偏芯量を０としておいても、左右で実質的に位相差が生じて同様の効果が期待できる。
【図面の簡単な説明】
【図１】本発明の一実施例の第１状態の概略図で、（a）は正面図、（b）は側面図。
【図２】同上の第２状態の概略図で、（a）は正面図、（b）は側面図。
【図３】同上の第３状態の概略図で、（a）は正面図、（b）は側面図。
【図４】同上の第４状態の概略図で、（a）は正面図、（b）は側面図。
【図５】同上の洗浄籠の第１状態の概略図で、（a）は正面図、（b）は側面図。
【図６】同上の洗浄籠の第２状態の概略図で、（a）は正面図、（b）は側面図。
【図７】同上の洗浄籠の第３状態の概略図で、（a）は正面図、（b）は側面図。
【図８】同上の洗浄籠の第４状態の概略図で、（a）は正面図、（b）は側面図。
【図９】同上のリングの拡大図。
【図１０】同上の他の実施例の第１状態の概略図で、（a）は正面図、（b）は側面図。
【符号の説明】
１  駆動軸
２  偏芯軸
３  偏芯軸
４  揺動部材
５  揺動部材
６  洗浄籠
７  被洗浄物
【図１】
0004032378.tif 000002
【図２】
0004032378.tif 000003
【図３】
0004032378.tif 000004
【図４】
0004032378.tif 000005
【図５】
0004032378.tif 000006
【図６】
0004032378.tif 000007
【図７】
0004032378.tif 000008
【図８】
0004032378.tif 000009
【図９】
0004032378.tif 000010
【図１０】
0004032378.tif 000011